(57)【要約】  この発明はテクノ光ファイバー織物を開示する。このテクノ光ファイバー織物は、複数の光ファイバーと光源ユニットを含んでいる。各光ファイバーの一端は、織物の表面において望ましいパターンと文字が構成できるように出て並べられており、光ファイバーの他端は、光源ユニットに接続されている。光源ユニットは前記パターンまたは文字を構成する前記光ファイバーの一端に色彩のある光線を伝えるので、複数のアニメーションのパターンが形成される。また、テクノ光ファイバー織物は有線又は無線通信を実現する通信手段を含んでいる。【選択図】  図６
2008511761.tif 000002
【特許請求の範囲】
【請求項１】
織物の表面上に所望のパターンまたは文字を構成するように、一端が出るように配列された複数の光ファイバーと、
前記光ファイバーの他端が接続された光源ユニットと、
有線又は無線通信を実行する通信手段と、を含み、
前記光源ユニットから送られた光線は、前記パターンまたは文字を構成する前記光ファイバーの前記一端を通して光ファイバー織物の外側へ放射され、
前記通信手段による通信を実行し複数パターンのアニメーションを実現することを特徴とするテクノ光ファイバー織物。
【請求項２】
請求項１に記載のテクノ光ファイバー織物において、プリント基板を含んだ前記光源ユニットと、そのプリント基板上に備え付けられたコントローラと、色付きの光を送るために前記コントローラに接続された発光モジュールと、前記プリント基板上に備え付けられ、前記コントローラに接続された前記通信手段とを含むテクノ光ファイバー織物。
【請求項３】
請求項２に記載のテクノ光ファイバー織物において、前記通信手段が、ＧＰＳ衛星と通信するためのＧＰＳモジュールを含んでいるテクノ光ファイバー織物。
【請求項４】
請求項２に記載のテクノ光ファイバー織物において、前記通信手段が、無線携帯電話通信モジュールを含んでいるテクノ光ファイバー織物。
【請求項５】
請求項２に記載のテクノ光ファイバー織物において、前記光源ユニットに接続されたマイクとスピーカを含んでいるテクノ光ファイバー織物。
【請求項６】
請求項２に記載のテクノ光ファイバー織物において、前記光源ユニットにカメラが接続されているテクノ光ファイバー織物。
【請求項７】
請求項２に記載のテクノ光ファイバー織物において、メモリユニットが前記プリント基板上に備え付けられ、前記コントローラと接続されているテクノ光ファイバー織物。
【請求項８】
請求項２に記載のテクノ光ファイバー織物において、静電気防護コーティング層が前記光源ユニットの表面に施されているテクノ光ファイバー織物。
【請求項９】
請求項２に記載のテクノ光ファイバー織物において、前記テクノ光ファイバー織物は、その織物の表面を構成する最も外側の布層と、発熱のために織物の内部に設けられた発熱シートを含んでおり、前記発熱シートの電源端子は前記光源ユニットに接続されているテクノ光ファイバー織物。
【請求項１０】
請求項９に記載のテクノ光ファイバー織物において、最も外側の布層の下側に接着された接着シートの下側に接着された発熱シートと、その発熱シートの下側に接着された他の接着シートと、その接着シートの下側に接着された皮パットと、その皮パットの下側に接着された防水布層と、前記皮パットと前記防水布層の間に配置された前記光源ユニットを含んでいるテクノ光ファイバー織物。
【請求項１１】
請求項２に記載のテクノ光ファイバー織物において、前記プリント基板に備え付けられ、前記コントローラに接続されたリモコンモジュールと、そのリモコンモジュールと通信する外部リモコンとを含むテクノ光ファイバー織物。
【請求項１２】
請求項２に記載のテクノ光ファイバー織物において、前記プリント基板に備え付けられ、前記コントローラに接続されたリモコンモジュールと、そのリモコンモジュールと通信する外部リモコンと、その外部リモコンは無線携帯電話モジュールを含んでいるテクノ光ファイバー織物。
【請求項１３】
請求項１１に記載のテクノ光ファイバー織物において、前記外部リモコンは、外部電池ケースを含み、その外部電池ケースは、前記光源ユニットから引き出されたリード線の終端に形成された接続ジャックに接続され、その外部電池ケースは操作ボタンを有しており、前記コントローラ内に備え付けられた充電池を含んでいるテクノ光ファイバー織物。
【請求項１４】
請求項１３に記載のテクノ光ファイバー織物において、前記リード線は電線と通信線を含んでおり、前記電池ケースは、インターネット通信を行うためのディスプレイ窓、ＬＡＮカード、キーボードを含んでいるテクノ光ファイバー織物。
【請求項１５】
請求項２に記載のテクノ光ファイバー織物において、前記光源ユニットはそれ自体で動作する補助充電池を含むテクノ光ファイバー織物。
【請求項１６】
請求項２に記載のテクノ光ファイバー織物において、前記リード線の一端に接続され、他端は前記光源ユニットに接続された統合端子を含み、その統合端子は、複数の周辺機器を接続するための複数の端子を含み、前記統合端子を密閉するために防水キャップが前記統合端子の一面に設けられているテクノ光ファイバー織物。
【請求項１７】
請求項１６に記載のテクノ光ファイバー織物において、前記統合端子は、その一面が前記電池ケースに接続するための充電ジャックを有しているテクノ光ファイバー織物。
【発明の詳細な説明】
【技術分野】
【０００１】
本発明は、光ファイバーと光源が取付けられることによって、種々の発光パターンを提供できるテクノ光ファイバー織物に関する。特に本発明は、新しい概念の織物を実現するための光ファイバー織物に関し、各種の通信手段と発熱手段を含み、衣服自体で通信が可能であり、光ファイバーのパターンを遠隔で多様に制御できるようにしたものである。
【背景技術】
【０００２】
最近、光ファイバーを用いて発光パターン（文字を含む）を備えた衣服、帽子、バックを提供するための技術開発が行われている。したがって、動的で華麗なアニメーションを実現する新世代の衣服を作ることに多くの試みが為されており、それは特徴的な個性を有する若者の間において広く普及し、一般的になりつつある。
上記開発の試みの典型的なものとして、韓国特許出願２００２−６３０７７号「光ファイバーで刺繍された織物とその製造方法」が例示できる。
【０００３】
この発明は光ファイバーで刺繍された衣服とその製造方法が示されており、光ファイバーで作られた独特なパターンが衣服に刺繍され、光源ユニットからの透過光は、光ファイバーの端部を経て発光されるようになっている。それ故、良い美しい感じを与えるものとなる。特に、刺繍された光ファイバーは衣服にしっかりと固定され、これにより高い信頼性が達成される。さらに、防水のために光源ユニットは基布と防水布の間に配置されており、光ファイバー束の前端部分は、一緒に接合され矯正されているので、製品の耐久性が大きく向上している。
【０００４】
【特許文献１】韓国特許出願２００２−６３０７７号「光ファイバーで刺繍された織物とその製造方法」
【発明の開示】
【発明が解決しようとする課題】
【０００５】
上記技術によって耐久性を備えた洗濯可能な光ファイバー衣服は実現されている。しかしながら、この技術は光ファイバーによる単純なパターンの表現に限定される。従って、この技術では、例えば、各種な通信手段などを利用するというようなユーザの多様な欲求を満足することができない問題があった。
加えて、従来の光ファイバー織物においては、光線を光ファイバーに供給するための光源ユニットが衣服の中に取付けられるので、衣服の中で簡単に発生した静電気によって回路または他の構成要素の異常な動作を引き起こしてしまう問題があった。
【課題を解決するための手段】
【０００６】
本発明は、従来技術が有する上記問題を解決するためになされたものであり、その目的は、光ファイバーによって作られるパターンとともに、既設された光源ユニットを用いて各種の通信手段によって提供される通信機能を備えた光ファイバー織物を提供することにある。
本発明の他の目的は、静電気から光源ユニットを守ることができるようなテクノ光ファイバー織物を提供することにある。
本発明のさらに他の目的は寒い環境において使用するときに衣服それ自体で暖めることができるような発熱シートを有するテクノ光ファイバー織物を提供することにある。
【０００７】
この発明のある観点によれば、下記のようなテクノ光ファイバー織物が提供される。そのテクノ光ファイバー織物は、織物の表面上に所望のパターンまたは文字を構成するように、一端が出るように配列された複数の光ファイバーと、
前記光ファイバーの他端が接続された光源ユニットと、
有線又は無線通信を実行する通信手段と、を含み、
前記光源ユニットから送られた光線は、前記パターンまたは文字を構成する前記光ファイバーの前記一端を通して光ファイバー織物の外側へ放射され、
前記通信手段による通信を実行し複数パターンのアニメーションを実現することを特徴とする。
【発明の効果】
【０００８】
上記したような本発明によれば、衣服などに取付けられた発光する光ファイバーによって動的なパターンが表示され、その表示されたパターンはその衣服の着用者によって制御されることができ、しかも複数のパターンは遠隔で集団的に制御されることができる。従って、広告及び公報手段の新概念を提供することができる。
また、本発明の衣服をただ着用するだけで、統括的なマルチ通信を実現でき、別途のインターネット装置や電話機を持つ必要がない。
さらに、本発明の衣服はその衣服だけで暖めることができるように設計されているので、寒い地域又は環境においても簡単かつ便利に使用されることができる。
本発明は、個々の図示された実施形態を参照しつつ説明されるが、その実施形態によって制限されるものではなく、請求項によって解釈されなければならない。
この技術における実施形態の変更又は修正は、本発明の範囲と意図を離れることなく判断されなければならない。
【発明を実施するための最良の形態】
【０００９】
図面を参照しつつ、以下、本発明の前記した実施形態を詳細に説明する。
本発明は図１〜図３において示された衣服に適用することができ、また、帽子、バック、その他の革製品に適用することができる。
図１〜図３に図示されているように、種々のパターンは光ファイバーの一端部１によって衣服の外表面に実現される。このパターンにおいて、光ファイバーの各糸は、そのパターンの一つの点を構成し、そのパターンの各点は種々の色の光で発光するので、静的なパターンだけではなく、色の変わっている間中、変化する動的パターンを表現することができる。
【００１０】
図５及び図６に示すように、衣服の背後では光ファイバーの他端部は、セクタ毎に縛られて光源ユニット１００に接続される。その光源ユニット１００は、プリンタ基板１１と、そのプリント基板１１上に取付けられたコントローラ（制御ユニットとして機能する）と、プリント基板１１上に取付けられ、種々の色の光を照射するためにコントローラに接続された発光モジュール（図２０〜２５において符号１６０で示す）と、を含んで構成されている。通信手段はプリント基板１１に配設され、好ましくはコントーラ（以下、「制御ユニット」とも記載する）に接続される。
【００１１】
発光モジュールはＬＥＤのような複数の発光素子１０７によって具体化される。パターンの躍動感ある動きは、上記コントローラからの指令に従って各発光素子の点滅を制御することによって実現することができる。
基布の背面に位置する光源ユニットと光ファイバーを、基布の背面側に接合した防水布と接合布（防水）の間に受止めることによって、防水構造を提供する技術はこの分野における技術において良く知られている。
【００１２】
（発明の実施形態）
本発明においては、図２０から図２５に示されているように、上記通信手段は、ＧＰＳ衛星と通信することができるＧＰＳ（地球的位置システム）モジュール１８０を含んでもよい。ＧＰＳモジュール１８０は制御ユニット１１０（コントローラ）に接続されている。この方法では、本発明に係る衣服を着た人の位置はＧＰＳ衛星１８１を通して追跡することができる。
【００１３】
さらに、本発明の光源ユニットはＧＰＳ衛星を通して遠隔的に制御されることができ、光ファイバーによって作られるパターンも制御されることができる。また、望ましい音もスピーカを通じて発生させることができ、そのスピーカは本発明の光源ユニットに接続することができる。したがって多数の人が本発明の衣服を着て、個々の人の光ファイバーのパターンがＧＰＳ衛星を通じて色々な方法で操作された場合には、大規模はカードセッション又は身体セッションがなされたときと同じような効果が達成される。
この場合、この発明の衣服を着た人々は自発的な動作をとることを必要としないので、簡単でありながらも最大化された広告効果を得ることができる。したがって、本発明は広告産業で効果的かつ有利に適用できる。
【００１４】
ＧＰＳモジュールにおいてＧＰＳ衛星と交信するように設定されている無線通信チップは既に商品化されている。よって本発明にその通信チップを使用することは可能である。また、商品化されているので、通信チップについての詳細な説明は行わないことにする。
また、上記通信手段は、図２１から図２３に示すような携帯電話モジュール１８５を含んでも良い。携帯電話モジュール（無線電話通信モジュール）は制御ユニット１１０に接続される。そして、基地局を経由して制御局と交信できる一般的なシステムを採用している。この場合、最も大衆化されたＣＤＭＡモジュールを使用することが望まれる。
【００１５】
上記の構成においては、光源ユニット自体（又は光源ユニットに接続されるリモコン、図５と図６において符号１９１と符号１９２で示す）が携帯通信の端末装置になる。
上記ＧＰＳモジュールと携帯電話モジュールの音声入出力装置として、マイク１２とスピーカ１４を光源ユニットに接続されることが望ましい。また、マイクモジュール１２０とスピーカモジュール１４０は、マイク１２とスピーカ１４をそれぞれ一次的に制御するために、それぞれ上記光源ユニットに接続されることが望まれる。なお、マイクモジュールとスピーカモジュールは制御ユニット１１０によって制御される。
【００１６】
マイクとスピーカはＧＰＳモジュールと携帯電話モジュールの両方において使用されることができる。
さらに、光源ユニットは、図６，図２０から図２５に示すように、プリント回路基板に搭載され、コントローラ又は外部リモコンに接続されるリモコンモジュール１９０に接続されることが好ましい。
外部リモコンにおいては、図２２に示されるように、光源ユニットに有線接続された有線リモコン１９１が使用されか、又は図２３に示されるように無線リモコン１９２が使用される。したがって、リモコンモジュール１９０は、それぞれに対応して無線の送受信ユニットを備えたものか、又は有線入出力インターフェイスを備えたものが使用される。
【００１７】
また、本発明の他の実施形態のように、図２１と図２２に示す携帯電話モジュール１８５は、無線電話通信（又は無線通信）として実行できるように図２４と図２５に示す有線リモコン１９１又は無線リモコン１９２に搭載されることができる。この実施形態においては、それらのリモコンは無線通信の端末装置として働くことになる。
換言すると、この実施形態では、プリント回路基板に搭載され、制御ユニットに接続されたリモコンモジュールを含んでおり、リモコンモジュールと通信する外部のリモコンを含んでいる。また、リモコンモジュールは無線電話通信モジュールによって提供される。
【００１８】
この実施形態では、図２１から図２３に類似するように、光源ユニットはマイク１２を一次的に制御するためにマイク１２に接続されたマイクモジュール１２０と、スピーカを一次的に制御するためにスピーカ１４に接続されたスピーカモジュール１４０とを含んでいる。マイクモジュールとスピーカモジュールは、制御ユニット１１０によって制御されるように設計されている。
【００１９】
さらに、接続ジャック（図示せず）を介して、受信機をマイクとスピーカに接続させることもできる。上記受信機用の接続ジャックはマイクモジュール１２０とスピーカモジュール１４０に直接接続するようにもできる。マイクモジュールとスピーカモジュールはアナログ−デジタル変換のための音声信号処理ユニットを含めることができる。したがって、使用者は上記したリモコンモジュールを用いて、光源ユニットの全ての機能を直接に操作することができる。
【００２０】
図１３から図１６に示すように、この発明が適用される衣服は、その衣服の内側にそれぞれの収容ポケット３００を設けることもでき、それによって外部のリモコン１９１，１９２を便利かつ安全に収容ポケット内で保持することができる。
ＧＰＳモジュール、無線携帯電話通信モジュール又は外部のリモコンモジュールが結合された上記実施形態では、それらの内部結合と制御は、「ＧＰＳ日付通信システムと方法」という名称が付けられた韓国特許出願２００２−６３８２６号に開示された技術を用いることができる。
【００２１】
図６から図１２に示されるように、光源ユニットは、基布１と防水布６との間に接合され、接続端子を備えたリード線２００を含んでいる。そして、その接続端子は、防水布の外側へ導かれている。有線リモコン１９１又はマイク１２とスピーカ１４は、その接続端子に接続されることが可能である。これらの構成要素１９１，１２，１４は接続端子を使用しないで直接にリード線２００に接続することも可能である。
また、リード線２００は、各種の外部装置による通信と情報交換を有線を通じて実行するために、ＵＢＳ端子のような通信端子２２０を備えることもできる。
【００２２】
図５と図６に示されるように、本発明においてカメラ１３も提供される。カメラ１３はリード線を通して光源ユニット１００に接続され、画像信号処理ユニットはカメラ本体又は光源ユニットに既設しておくことができる。カメラ１３からの画像信号入力はＧＰＳモジュール１８０、無線携帯電話通信モジュール、リモコンモジュール１９０によって利用されたり、送信されたりすることができる。
さらに、録音機能はマイク１２を用いて行うことができ、その録音機能は外部リモコンを通じて操作されることが好ましい。また、メモリユニット１１１は各種信号を使用したり、記憶したりするためにプリント回路基板上に備え付けられることが好ましい。
【００２３】
有線又は無線によって光源ユニットに接続されたリモコン１９１，１９２に充分なメモリを確保して外部記憶媒体として提供してもよい。また、光源ユニットから接続ジャック２１０を有するリード線２００が引出されており、コントロールボタンを有する外部リモコン１９１，１９２はその接続ジャック２１０に接続され、コントローラ１９１，１９２内蔵の電池によって外部電池ケースとして提供できる。
上記電池ケースの基本構成は、韓国特許出願２００２−８２５０６号の発明の名称「充放電用の結合ジャックを備えた再充電可能な電池ケース」に開示されている。開示された基本構成は、一般的なリモコン構成と結合させるか、又は携帯電話モジュールと共に設けることが好ましい。
【００２４】
上記リモコンが電池ケースと完全に結合した形態は、前記全ての本発明の実施形態において、外部リモコンとして採用できる。
リード線２００は電線と通信線で構成することができる。電池ケースはディスプレイ窓、ＬＡＮカード、及びキーボードを備えることができ、それらによってインターネット通信をすることができる。したがって、本発明の形態によれば、インターネットや携帯通信を通してコンピュータ通信を可能にすることによって、高機能な電話と同じような機能を実現できる。
また、光源ユニット１００は独力で自らが機能するように補助充電池（図示せず）を含めることができる。この場合、補助充電池に充電するための電力を供給するためのリード線は上記したようなリード線と同じようにして提供される。
【００２５】
図７と図８に示すように、本発明の光源ユニットには変形されたリード線と統合端子２１１を備えることができる。その統合端子２１１は前記したような個々の端子２１２の全てを含めて構成される。即ち、統合端子２１１はリード線を通して光源ユニットに接続され、複数の端子２１２は統合端子２１１の形に集めて形成される。そして、統合端子２１１はその統合端子２１１を密閉するために防水キャップ２１３を備えている。
また、統合端子の他の実施形態では、必要な時に電池ケース１９１に接続するための充電ジャック２１５を含めることができる。
【００２６】
このような方法によって、コンピュータ５００、外部メモリ、ＭＰ３プレイヤー、カムコーダ、プリンタなどのような各種の周辺機器の接続をすっきりかつしっかりと信頼できる防水とともに達成することができる。また、織物や衣服において発生する静電気から光源ユニットの電気的部分を守るために、又、静電気に起因する誤動作を避けるために、防護コーティング層１１６が光源ユニット１００の全表面に形成されていることが好ましい。
防護コーティング層１１６は、光源ユニットの全外側面を覆っている防水層１１５の外側面に形成されることが好まれる。
【００２７】
他の方法としては、防水コーティングをそれ自体、静電気からシステムを守るための機能を含めるように設計してもよい。そのような防護コーティング層は市場において既に商品化されている各種の静電気防止塗料中から適当な塗料を用いることで具体化できる。
【００２８】
本発明の他の実施形態によれば、図１０から図１２に示すように、発熱シート４が提供される。発熱シート４は基布１と最も外側の布２の間に配置され、電源端子は光源ユニットに接続されている。発熱シートとしてはシート面に炭素粉末を塗装した商品化シートが採用できる。但し、採用できるものはそのようなシートに限定されるものではない。
特に、図１０から図１２に示すように、発熱シート４は接着シート３の下側に接着され、その接着シート３は最も外側の布２の下側に接着される。他の接着シート３’は発熱シート４の下側に接着される。接着シート３’の下側は皮パット５に貼り付けられており、その皮パット５には防水布６が接着されている。光源ユニット１００は皮パット５と防水布６の間に埋められる。接着シート３，３’は良好な接着力と良好な防水構造を有するものが好ましい。
【００２９】
本発明の他の実施形態は、図１２に示すように、接着シート３は最も外側の布２の下側に接着されており、皮パット５は接着シート３の下側に接着されている。他の接着シート３’は皮パット５の下側に接着されており、防水布６は接着シート３’の下側に接着されている。
光源ユニット１００は、防水布６の内側に置かれ、発熱シートはその発熱シートに接続される光源ユニット１００から一定の距離をおいて配置されている。さらに、発熱シート４の下側に防水布６が接着され、発熱シートからコードを引出して光源ユニットに接続する。
【００３０】
上記したように、発熱シート４は暖めるべき衣服の望む場所に取付けられることができる。発熱シート４の電力は内部の補助充電池又は外部電池ケースから供給を受けることができる。
上記のような本発明によれば、光ファイバーによって作られる動的な色パターンは、衣服やそれに類する物において具体化され、また、そのような衣服等を身につけた人はＧＰＳ衛星を用いて追跡することが可能になる。それ故に、子供を見失うことを避たり、行方不明の子供に対して効果的で便利な探索を行うことができる。
また、ＧＰＳモジュール、携帯電話モジュール、インターネット通信は、統合し一体化して実施することができるので、新概念のテクノ光ファイバー織物が実現されることになる。
上記個々のモジュールは制御ユニットに接続され、音声、画像、デジタルデータを共に利用できるように、それぞれお互いの情報を交換するので、衣服自体で統合化されたマルチ通信を実現できる。
【産業上の利用可能性】
【００３１】
上記したような本発明によれば、衣服などに取付けられた発光する光ファイバーによって動的なパターンが表示され、その表示されたパターンはその衣服の着用者によって制御されることができ、しかも複数のパターンは遠隔で集団的に制御されることができる。従って、広告及び公報手段の新概念を提供することができる。
また、本発明の衣服をただ着用するだけで、統括的なマルチ通信を実現でき、別途のインターネット装置や電話機を持つ必要がない。
さらに、本発明の衣服はその衣服だけで暖めることができるように設計されているので、寒い地域又は環境においても簡単かつ便利に使用されることができる。
本発明は、個々の図示された実施形態を参照しつつ説明されるが、その実施形態によって制限されるものではなく、請求項によって解釈されなければならない。
この技術における実施形態の変更又は修正は、本発明の範囲と意図を離れることなく、判断されなければならない。したがって、本発明は衣服や、帽子、バックや織物を用いたその他のものにも適用できるものである。
【図面の簡単な説明】
【００３２】
本発明の更なる目的と利点は、下記の図面を加えて取り入れた上記に記載する詳細な説明によって良く理解されることになる。
【図１】図１は、本発明の一実施形態に従って光ファイバーの他のパターンが適用された衣服の正面図である。
【図２】図２は、本発明の一実施形態に従って光ファイバーのパターンが適用された衣服の背面図である。
【図３】図３は、本発明の別の光ファイバーのパターンが適用された衣服の正面図である。
【図４】図４は、図３の衣服に光ファイバーの端部から構成された光ファイバーのパターンを図示している。
【図５】図５は、本発明の一実施形態における内部形態を示している。
【図６】図６は、本発明の他の実施形態における内部形態を示している。
【図７】図７は、本発明において、光源ユニットに接続された統合端子の形態を示している。
【図８】図８は、本発明の内部形態であり、図７の端子を使用したものである。
【図９】図９は、図７に示す端子の変形例を示したものである。
【図１０】図１０は、本発明の形態を示す図である。
【図１１】図１１は、本発明の一実施形態における要部の断面図である。
【図１２】図１２は、本発明の他の実施形態における要部の断面図である。
【図１３】図１３は、本発明が適用された衣服における内部を示す図である。
【図１４】図１４は、本発明が適用された衣服における内部を示す図である。
【図１５】図１５は、部分の詳細図である。
【図１６】図１６は、本発明が適用された衣服における内部を示す図である。
【図１７】図１７は、本発明の実施形態を示す図である。
【図１８】図１８は、本発明の実施形態を示す図である。
【図１９】図１９は、本発明の実施形態を示す図である。
【図２０】図２０は、本発明の実施形態を示す図である。
【図２１】図２１は、本発明の実施形態を示す図である。
【図２２】図２２は、本発明の実施形態を示す図である。
【図２３】図２３は、本発明の実施形態を示す図である。
【図２４】図２４は、本発明の実施形態を示す図である。
【図２５】図２５は、本発明の実施形態を示す図である。
【符号の説明】
【００３３】
１１１：メモリユニット，１２０：マイクモジュール，１４０：スピーカモジュール，１５０：電源，１１０：制御ユニット，１６０：発光モジュール，１７０：発熱モジュール，１８０：ＧＰＳモジュール，１９０：外部リモコンモジュール，１８５：携帯電話モジュール，１３０：カメラモジュール，１８５：ＣＤＭＡモジュール。
【図１】
2008511761.tif 000003
【図２】
2008511761.tif 000004
【図３】
2008511761.tif 000005
【図４】
2008511761.tif 000006
【図５】
2008511761.tif 000007
【図６】
2008511761.tif 000008
【図７】
2008511761.tif 000009
【図８】
2008511761.tif 000010
【図９】
2008511761.tif 000011
【図１０】
2008511761.tif 000012
【図１１】
2008511761.tif 000013
【図１２】
2008511761.tif 000014
【図１３】
2008511761.tif 000015
【図１４】
2008511761.tif 000016
【図１５】
2008511761.tif 000017
【図１６】
2008511761.tif 000018
【図１７】
2008511761.tif 000019
【図１８】
2008511761.tif 000020
【図１９】
2008511761.tif 000021
【図２０】
2008511761.tif 000022
【図２１】
2008511761.tif 000023
【図２２】
2008511761.tif 000024
【図２３】
2008511761.tif 000025
【図２４】
2008511761.tif 000026
【図２５】
2008511761.tif 000027
【国際調査報告】
2008511761.tif 000028